【手続補正書】
【提出日】平成19年6月28日(2007.6.28)
【手続補正１】
【補正対象書類名】特許請求の範囲
【補正対象項目名】全文
【補正方法】変更
【補正の内容】
【特許請求の範囲】
【請求項１】
トランザクションに対するキャッシュフロー管理システムを制御するように配置される装置であって、
メモリへの情報を受けるように配置されるデータ処理手段を含み、前記情報は、リスクの説明のそれぞれと、前記リスクに対する統計的仮定と、前記リスクに対する金融的仮定とを含み、前記データ処理手段は、
前記説明と前記仮定とに応答して、期間ごとに前記リスクに対応する予測キャッシュフローを計算するための、アクチュアリアル価格付け手段と、
前記リスクに対応する事象の発生からの実際のキャッシュフロー情報に応答して、予測キャッシュフローをトランザクションの第２の当事者に対して負う第１の当事者および、実際のキャッシュフローを第１の当事者に対して負う第２の当事者に対して、トランザクションの両当事者間の各前記期間ごとの正味額決済を決定して、実際のキャッシュフローと予測キャッシュフローとを管理するための、会計手段とを含む、装置。
【請求項２】
前記リスクの説明のそれぞれは、
個人の付保可能リスクカバレッジのそれぞれからの契約上のエクスポージャに関連する、前記リスクの特徴のそれぞれと、
個人に対する契約上の付保可能リスクエクスポージャのそれぞれに関連する、前記リスクの特徴のそれぞれと、
個人の会社所有型生命保険カバレッジからの契約上のエクスポージャに関連する、前記リスクの特徴のそれぞれと、
個人の銀行所有型生命保険カバレッジからの契約上のエクスポージャに関連する、前記リスクの特徴のそれぞれと、
個人に対する企業の契約上の給付金支払いエクスポージャに関連する、前記リスクの特徴のそれぞれと、のうちの１つ以上を含む、請求項１に記載の装置。
【請求項３】
前記データ処理手段は、契約上のエクスポージャに対する資金の証券化を反映したデータに応答する処理手段をさらに含む、請求項２に記載の装置。
【請求項４】
前記データ処理手段は、証券化へのトランザクションの影響を計算するための手段をさらに含む、請求項３に記載の装置。
【請求項５】
前記データ処理手段は、証券化に対するトランシュへのトランザクションの影響を計算するための手段をさらに含む、請求項３または請求項４に記載の装置。
【請求項６】
前記データ処理手段は、証券化プールへのトランザクションの影響を決定するための手段をさらに含む、請求項３から請求項５のいずれか１に記載の装置。
【請求項７】
前記リスクの説明のそれぞれは、再保険条約における契約上のエクスポージャに関連する前記リスクの特徴のそれぞれを含む、前記請求項１から６のいずれか１に記載の装置。
【請求項８】
前記リスクの説明のそれぞれは、前記契約上のエクスポージャに対する公称死亡給付金の額面金額を含み、
前記統計的仮定は、予測死亡率を含み、
前記データ処理手段は、トランザクションに対する予測死亡率の策定においてマージンおよび付加保険料を組み入れるための手段と、前記予測死亡率および前記契約上のエクスポージャに関連するリスクの特徴を用いて、死亡給付の予測タイミングおよび予測金額を決定するための手段とをさらに含む、請求項２から請求項７のいずれか１に記載の装置。
【請求項９】
前記リスクに対応する事象の発生からの実際キャッシュフロー情報は、前記個人ごとの死亡給付の実際のタイミングおよび実際の金額のそれぞれに関する情報を含む、請求項８に記載の装置。
【請求項１０】
前記正味額決済を決定するための会計手段は、個人ごとに死亡給付の予測タイミングおよび予測金額のそれぞれをトラッキングするための手段と、死亡給付の実際のタイミングと実際の金額とをトラッキングするための手段と、トランザクションの期間ごとの正味額決済をトラッキングするための手段とをさらに含む、請求項９に記載の装置。
【請求項１１】
少なくとも１つの前記正味額決済を、トランザクションを行なうために発行される証券から生じる他の債務の少なくとも１つの決済に組み入れるための手段をさらに含む、請求項１０に記載の装置。
【請求項１２】
前記正味額決済を決定するための会計手段は、前記個人ごとにそれぞれ、死亡給付の予測タイミングおよび予測金額、死亡給付の実際のタイミングおよび実際の金額についての情報、ならびに前記期間ごとの前記正味額の経時的記録を生成するための手段を含む、請
求項８から請求項１１のいずれか１に記載の装置。
【請求項１３】
データ処理手段は、第２の当事者に前記キャッシュフローのドキュメンテーションを提供するための手段と、トランザクション手数料を正味額決済に含めて例示することを含めて、第２の当事者から第１の当事者へのトランザクション手数料を例示するための手段をさらに含む、請求項８から請求項１２のいずれか１に記載の装置。
【請求項１４】
データ処理手段は、トランザクションの期日前解約に対する手数料を受ける第１の当事者を計上するための手段をさらに含む、請求項８から請求項１３のいずれか１に記載の装置。
【請求項１５】
前記情報は、２以上の前記個人の生命への契約上のエクスポージャに対する所有権を有する実体として第２の当事者を識別するデータを含む、請求項８から請求項１４のいずれか１に記載の装置。
【請求項１６】
前記情報は、当事者を拘束する契約に従ってトランザクションを識別するデータを含む、請求項８から請求項１５のいずれか１に記載の装置。
【請求項１７】
前記情報は、期間ごとに更新可能な部分を有するとしてトランザクションを識別するデータを含む、請求項１６に記載の装置。
【請求項１８】
前記リスクの説明のそれぞれは、複数の個人と個人の集団とからなる群のうちの少なくとも１つの構成要素に関連する前記リスクの特徴のそれぞれを含む、請求項２から請求項７のいずれか１に記載の装置。
【請求項１９】
前記群の構成要素に関連するリスクの特徴のそれぞれは、年齢と、性別と、死亡率と、罹患率と、補償と、地位と、職種と、勤続年数とからなる群のうちの少なくとも１つの特徴を含む、請求項１８に記載の装置。
【請求項２０】
前記予測キャッシュフローを計算するためのアクチュアリアル価格付け手段は、前記リスクに対する前記事象の発生に関連する給付のタイミングおよび金額の計算において、前記説明および前記仮定を処理するための手段を含み、
前記正味額決済を決定するための会計手段は、前記当事者間での交換としての前記トランザクションを反映した価格付けデータに応答する手段を含む、前記請求項１から１９のいずれか１に記載の装置。
【請求項２１】
価格付けデータは、比例しない契約上のエクスポージャの対称的交換を反映した、予測キャッシュフローと実際のキャッシュフローとの関係の定義を含む、請求項２０に記載の装置。
【請求項２２】
価格付けデータは、比例する契約上のエクスポージャの対称的交換を反映した、予測キャッシュフローと実際キャッシュフローとの関係の定義を含む、請求項２０に記載の装置。
【請求項２３】
価格付けデータは、比例するおよび比例しない契約上のエクスポージャの非対称的交換を反映した、予測キャッシュフローと実際キャッシュフローとの関係の定義を含む、請求項２０に記載の装置。
【請求項２４】
前記統計的仮定は、デクリメントのレートを含む、前記請求項１から２３のいずれか１に記載の装置。
【請求項２５】
前記統計的仮定は、個人の付保可能リスクカバレッジに関連するデクリメントのレートと、
個人に対する付保可能リスクエクスポージャに関連するデクリメントのレートと、
再保険条約に関連するデクリメントのレートと、のうちの１つ以上を含む、前記請求項１から２４のいずれか１に記載の装置。
【請求項２６】
前記金融的仮定は、割引率と費用と手数料とからなる群のうちの少なくとも１つを含む、請求項２１から請求項２５のいずれか１に記載の装置。
【請求項２７】
前記データ処理手段は、前記説明と、統計的仮説と、金融的仮説と、前記事象のうちの少なくとも１つの発生からの実際キャッシュフロー情報とからなる群のうちの少なくとも１つの構成要素をアップデートするための手段をさらに含む、請求項２１から請求項２５のいずれか１に記載の装置。
【請求項２８】
少なくとも１つの他のコンピュータシステムと通信するための手段をさらに含み、通信は、処理されたモデル文書と金融的分析出力とのうちの１つを含み、前記他のコンピュータは、第１の当事者のコンピュータシステムと、第２の当事者のコンピュータシステムと、税務顧問のコンピュータシステムと、会計顧問のコンピュータシステムと、マーケティング顧問のコンピュータシステムと、法務顧問のコンピュータシステムと、証券化プールのコンピュータシステムと、他のコンサルタントのコンピュータシステムと、他の規制機関のコンピュータシステムとが含まれる群からのものである、前記請求項１から２７のいずれか１に記載の装置。
【請求項２９】
統計的リスクおよび信頼性分析手段をさらに含み、前記分析は予測されるクレームの計算と、リスクマージンの加算と、費用および利益率の加算とを可能にし、
トランザクションが開始するまで前記処理を連続的に繰返すための手段をさらに含む、前記請求項１から２８のいずれか１に記載の装置。
【請求項３０】
実際キャッシュフローの情報の効率的データ管理および初期価格付けの確認を引き起こすための手段をさらに含む、請求項２９に記載の装置。
【請求項３１】
トランザクションの少なくともいくつかを証券に組み入れるための手段をさらに含む、前記請求項１から３０のいずれか１に記載の装置。